(57)【要約】【課題】固定シーブ又は可動シーブと軸部材との溶着を短時間で且つ良好に行わせ、製造時のサイクルタイムの短縮及び組み付け精度の向上を図ることができるとともに、軸部材が固定シーブ又は可動シーブから離脱する際の予兆をユーザに把握させることができる駆動力伝達用プーリ及びその製造方法を提供する。【解決手段】固定シーブ２と、可動シーブ３と、固定シーブ２及び可動シーブ３の略中央に円形に開口した開口部と、該開口部に溶着されて固定シーブ２及び可動シーブ３の回転軸を成す円筒状の軸部材８、９とを有し、車両の駆動力を伝達するための駆動力伝達用プーリにおいて、円環状の電気抵抗溶接にて軸部材８を固定シーブ２に溶着して成るとともに、軸部材８の固定シーブ２との溶着部位８ａ近傍であってＶベルト１０からの負荷により当該固定シーブ２が移動する側に径方向外向きの突起ａが設けられたものである。【選択図】図２
2009191977.tif 000002
【特許請求の範囲】
【請求項１】
固定側テーパ面が形成された固定シーブと、
該固定シーブの固定側テーパ面と向かい合った可動側テーパ面を有し、当該固定側テーパ面と可動側テーパ面との間で無端状ベルトを懸架しつつ前記固定シーブと共に回転可能とされるとともに、当該固定シーブと近接又は離間可能とされた可動シーブと、
前記固定シーブ及び可動シーブの略中央に円形に開口した開口部と、
前記固定シーブ及び可動シーブの開口部に溶着され、それぞれから突出形成されて当該固定シーブ及び可動シーブの回転軸を成す円筒状の軸部材と、
を有し、車両の駆動力を伝達するための駆動力伝達用プーリにおいて、
前記軸部材を前記開口部に圧入しつつその開口縁部との間で通電させることにより円環状の電気抵抗溶接し、軸部材を前記固定シーブ又は可動シーブに溶着して成るとともに、前記軸部材の固定シーブ又は可動シーブとの溶着部位近傍であって前記無端状ベルトからの負荷により当該固定シーブ又は可動シーブが移動する側に径方向外向きの突起が設けられたことを特徴とする駆動力伝達用プーリ。
【請求項２】
前記突起は、前記固定シーブ又は可動シーブとの間に所定寸法のクリアランスを介して形成されたことを特徴とする請求項１記載の駆動力伝達用プーリ。
【請求項３】
前記突起の基端側と前記固定シーブ又は可動シーブとの間に前記クリアランスが形成されるとともに、当該突起の先端側が前記固定シーブ又は可動シーブの開口縁部と当接して成ることを特徴とする請求項２記載の駆動力伝達用プーリ。
【請求項４】
前記突起は、前記円環状の電気抵抗溶接前に予め前記軸部材に形成して成ることを特徴とする請求項１〜３の何れか１つに記載の駆動力伝達用プーリ。
【請求項５】
前記突起は、前記円環状の電気抵抗溶接後に前記軸部材に形成するものであることを特徴とする請求項１〜３の何れか１つに記載の駆動力伝達用プーリ。
【請求項６】
固定側テーパ面が形成された固定シーブと、
該固定シーブの固定側テーパ面と向かい合った可動側テーパ面を有し、当該固定側テーパ面と可動側テーパ面との間で無端状ベルトを懸架しつつ前記固定シーブと共に回転可能とされるとともに、当該固定シーブと近接又は離間可能とされた可動シーブと、
前記固定シーブ及び可動シーブの略中央に円形に開口した開口部と、
前記固定シーブ及び可動シーブの開口部に溶着され、それぞれから突出形成されて当該固定シーブ及び可動シーブの回転軸を成す円筒状の軸部材と、
を有し、車両の駆動力を伝達するための駆動力伝達用プーリの製造方法において、
前記軸部材を前記開口部に圧入しつつその開口縁部との間で通電させることにより円環状の電気抵抗溶接し、軸部材を前記固定シーブ又は可動シーブに溶着するとともに、前記軸部材の固定シーブ又は可動シーブとの溶着部位近傍であって前記無端状ベルトからの負荷により当該固定シーブ又は可動シーブが移動する側に径方向外向きの突起を設けることを特徴とする駆動力伝達用プーリの製造方法。
【請求項７】
前記突起は、前記固定シーブ又は可動シーブとの間に所定寸法のクリアランスを介して形成されることを特徴とする請求項６記載の駆動力伝達用プーリの製造方法。
【請求項８】
前記突起の基端側と前記固定シーブ又は可動シーブとの間に前記クリアランスを形成するとともに、当該突起の先端側を前記固定シーブ又は可動シーブの開口縁部と当接させることを特徴とする請求項７記載の駆動力伝達用プーリの製造方法。
【請求項９】
前記突起を、前記円環状の電気抵抗溶接前に予め前記軸部材に形成することを特徴とする請求項６〜８の何れか１つに記載の駆動力伝達用プーリの製造方法。
【請求項１０】
前記突起を、前記円環状の電気抵抗溶接後に前記軸部材に形成することを特徴とする請求項６〜８の何れか１つに記載の駆動力伝達用プーリの製造方法。
【発明の詳細な説明】
【技術分野】
【０００１】
本発明は、車両の駆動力を伝達すべく無端状ベルトを懸架可能とされた駆動力伝達用プーリ及びその製造方法に関するものである。
【背景技術】
【０００２】
スクータ式の自動二輪車において一般に採用されている遠心クラッチは、図１１に示すように、エンジンの駆動により回転する駆動プーリ（不図示）との間でＶベルトを懸架する従動プーリ１０１と、該従動プーリ１０１と連結されたドライブプレート１０４と、該ドライブプレート１０４の外周面に形成され、回転時の遠心力により側方へ移動可能なクラッチ部材１０５と、側方へ移動したクラッチ部材１０５と当接してドライブプレート１０４とともに回転する出力用ハウジング１０６と、該出力用ハウジング１０６の中央から延設されて車両の後輪と減速機を介して連結されたシャフト１０７とを有していた。
【０００３】
このうち従動プーリ１０１（駆動力伝達用プーリ）は、同図に示すように、固定側テーパ面１０２ａが形成された固定シーブ１０２と、該固定シーブ１０２の固定側テーパ面１０２ａと向かい合った可動側テーパ面１０３ａを有し、当該固定側テーパ面１０２ａと可動側テーパ面１０３ａとの間で無端状ベルト（Ｖベルト）を懸架しつつ固定シーブ１０２と共に回転可能とされるとともに、当該固定シーブ１０２と近接又は離間可能とされた可動シーブ１０３とから主に構成され、可動シーブ１０３の固定シーブ１０２に対する近接又は離間動作により、車両の変速がなされるようになっていた。
【０００４】
固定シーブ１０２（可動シーブ１０３も同様）は、円筒状の軸部材１０８の一端が溶着されており、この軸部材１０８を軸として回転可能とされたものである。然るに、軸部材１０８の端部をバーリング加工して円環状に立ち上げ、バーリング部１０８ａを形成しておくとともに、これと対応した固定シーブ１０２における開口縁もバーリング加工して円環状に立ち上げてバーリング部１０２ｂを形成しておき、これらバーリング部１０８ａ及び１０２ｂの突端同士をプラズマ溶接又はＴｉｇ溶接等にて溶着していた。
【０００５】
しかしながら、上記従来の駆動力伝達用プーリにおいては、固定シーブ１０２と軸部材１０８とが、夫々形成されたバーリング部１０２ｂ及び１０８ａの突端に対するプラズマ溶接により溶着されていたため、当該バーリング部１０８ａ及び１０２ｂの突端に沿って溶接トーチを円環状に動作させる必要があり、溶着作業に長時間を要してしまいサイクルタイムが増大してしまうという問題があった。
【０００６】
そこで、本出願人は、固定シーブ又は可動シーブと軸部材との溶着を短時間で且つ良好に行わせ、製造時のサイクルタイムの短縮及び組み付け精度の向上を図ることを目的として、軸部材１０８、１０９の固定シーブ１０２又は可動シーブ１０３との溶着部位を径方向に膨出して厚肉部を形成するとともに、当該厚肉部を固定シーブ１０２又は可動シーブ１０３の開口部に圧入しつつその開口縁部との間で通電させることにより円環状の電気抵抗溶接し、軸部材１０８、１０９を固定シーブ１０２又は可動シーブ１０３に溶着することを検討するに至った。尚、かかる先行技術は、文献公知発明に係るものでないため、記載すべき先行技術文献情報はない。
【発明の開示】
【発明が解決しようとする課題】
【０００７】
しかしながら、上記の駆動力伝達用プーリにおいては、軸部材１０８、１０９を固定シーブ１０２又は可動シーブ１０３の開口部に圧入しつつその開口縁部との間で通電させることにより円環状の電気抵抗溶接し、軸部材１０８、１０９を固定シーブ１０２又は可動シーブ１０３に溶着するものであったので、以下の如き問題があった。
【０００８】
例えば極めて長期間の使用により、軸部材と固定シーブ又は可動シーブとの溶接部位が無端状ベルトからの負荷に耐えられなくなった場合、当該溶接部位が破断して当該軸部材が固定シーブ又は可動シーブから離脱してしまうという不具合があった。特に、上記の如き円環状の電気抵抗溶接による溶接部位は、軸部材が固定シーブ又は可動シーブから一気に離脱してしまう可能性があり、ユーザによる予兆の把握が困難であるという不具合がある。
【０００９】
本発明は、このような事情に鑑みてなされたもので、固定シーブ又は可動シーブと軸部材との溶着を短時間で且つ良好に行わせ、製造時のサイクルタイムの短縮及び組み付け精度の向上を図ることができるとともに、軸部材が固定シーブ又は可動シーブから離脱する際の予兆をユーザに把握させることができる駆動力伝達用プーリ及びその製造方法を提供することにある。
【課題を解決するための手段】
【００１０】
請求項１記載の発明は、固定側テーパ面が形成された固定シーブと、該固定シーブの固定側テーパ面と向かい合った可動側テーパ面を有し、当該固定側テーパ面と可動側テーパ面との間で無端状ベルトを懸架しつつ前記固定シーブと共に回転可能とされるとともに、当該固定シーブと近接又は離間可能とされた可動シーブと、前記固定シーブ及び可動シーブの略中央に円形に開口した開口部と、前記固定シーブ及び可動シーブの開口部に溶着され、それぞれから突出形成されて当該固定シーブ及び可動シーブの回転軸を成す円筒状の軸部材とを有し、車両の駆動力を伝達するための駆動力伝達用プーリにおいて、前記軸部材を前記開口部に圧入しつつその開口縁部との間で通電させることにより円環状の電気抵抗溶接し、軸部材を前記固定シーブ又は可動シーブに溶着して成るとともに、前記軸部材の固定シーブ又は可動シーブとの溶着部位近傍であって前記無端状ベルトからの負荷により当該固定シーブ又は可動シーブが移動する側に径方向外向きの突起が設けられたことを特徴とする。
【００１１】
請求項２記載の発明は、請求項１記載の駆動力伝達用プーリにおいて、前記突起は、前記固定シーブ又は可動シーブとの間に所定寸法のクリアランスを介して形成されたことを特徴とする。
【００１２】
請求項３記載の発明は、請求項２記載の駆動力伝達用プーリにおいて、前記突起の基端側と前記固定シーブ又は可動シーブとの間に前記クリアランスが形成されるとともに、当該突起の先端側が前記固定シーブ又は可動シーブの開口縁部と当接して成ることを特徴とする。
【００１３】
請求項４記載の発明は、請求項１〜３の何れか１つに記載の駆動力伝達用プーリにおいて、前記突起は、前記円環状の電気抵抗溶接前に予め前記軸部材に形成して成ることを特徴とする。
【００１４】
請求項５記載の発明は、請求項１〜３の何れか１つに記載の駆動力伝達用プーリにおいて、前記突起は、前記円環状の電気抵抗溶接後に前記軸部材に形成するものであることを特徴とする。
【００１５】
請求項６記載の発明は、固定側テーパ面が形成された固定シーブと、該固定シーブの固定側テーパ面と向かい合った可動側テーパ面を有し、当該固定側テーパ面と可動側テーパ面との間で無端状ベルトを懸架しつつ前記固定シーブと共に回転可能とされるとともに、当該固定シーブと近接又は離間可能とされた可動シーブと、前記固定シーブ及び可動シーブの略中央に円形に開口した開口部と、前記固定シーブ及び可動シーブの開口部に溶着され、それぞれから突出形成されて当該固定シーブ及び可動シーブの回転軸を成す円筒状の軸部材とを有し、車両の駆動力を伝達するための駆動力伝達用プーリの製造方法において、前記軸部材を前記開口部に圧入しつつその開口縁部との間で通電させることにより円環状の電気抵抗溶接し、軸部材を前記固定シーブ又は可動シーブに溶着するとともに、前記軸部材の固定シーブ又は可動シーブとの溶着部位近傍であって前記無端状ベルトからの負荷により当該固定シーブ又は可動シーブが移動する側に径方向外向きの突起を設けることを特徴とする。
【００１６】
請求項７記載の発明は、請求項６記載の駆動力伝達用プーリの製造方法において、前記突起は、前記固定シーブ又は可動シーブとの間に所定寸法のクリアランスを介して形成されることを特徴とする。
【００１７】
請求項８記載の発明は、請求項７記載の駆動力伝達用プーリの製造方法において、前記突起の基端側と前記固定シーブ又は可動シーブとの間に前記クリアランスを形成するとともに、当該突起の先端側を前記固定シーブ又は可動シーブの開口縁部と当接させることを特徴とする。
【００１８】
請求項９記載の発明は、請求項６〜８の何れか１つに記載の駆動力伝達用プーリの製造方法において、前記突起を、前記円環状の電気抵抗溶接前に予め前記軸部材に形成することを特徴とする。
【００１９】
請求項１０記載の発明は、請求項６〜８の何れか１つに記載の駆動力伝達用プーリの製造方法において、前記突起を、前記円環状の電気抵抗溶接後に前記軸部材に形成することを特徴とする。
【発明の効果】
【００２０】
請求項１及び請求項６の発明によれば、軸部材を固定シーブ又は可動シーブの開口部に圧入しつつその開口縁部との間で通電させることにより円環状の電気抵抗溶接し、当該軸部材を固定シーブ又は可動シーブに溶着するので、固定シーブ又は可動シーブと軸部材との溶着を短時間で且つ良好に行わせ、製造時のサイクルタイムの短縮及び組み付け精度の向上を図ることができる。
【００２１】
加えて、軸部材の固定シーブ又は可動シーブとの溶着部位近傍であって無端状ベルトからの負荷により当該固定シーブ又は可動シーブが移動する側に径方向外向きの突起が設けられたので、軸部材が固定シーブ又は可動シーブから離脱する際の予兆をユーザに把握させることができる。
【００２２】
請求項２及び請求項７の発明によれば、突起は、固定シーブ又は可動シーブとの間に所定寸法のクリアランスを介して形成されるので、軸部材を固定シーブ又は可動シーブの開口部に圧入しつつその開口縁部との間で通電させることにより円環状の電気抵抗溶接を行う過程で生じるバリ（余肉）が当該突起と干渉してしまうのを回避することができる。
【００２３】
請求項３及び請求項８の発明によれば、突起の基端側と固定シーブ又は可動シーブとの間にクリアランスが形成されるとともに、当該突起の先端側が固定シーブ又は可動シーブの開口縁部と当接して成るので、軸部材を固定シーブ又は可動シーブの開口部に圧入しつつその開口縁部との間で通電させることにより円環状の電気抵抗溶接を行う際、固定シーブ又は可動シーブが突起の先端と当接して位置決めを行わせることができ、且つ、突起の基端側のクリアランスにより、軸部材を固定シーブ又は可動シーブの開口部に圧入しつつその開口縁部との間で通電させることにより円環状の電気抵抗溶接を行う過程で生じるバリ（余肉）が当該突起と干渉してしまうのを回避することができる。
【００２４】
請求項４及び請求項９の発明によれば、突起は、円環状の電気抵抗溶接前に予め軸部材に形成して成るものであるので、成形により或いは旋盤加工等により設けることができ、その形成位置若しくは形状（高さ寸法等）において精度よく形成することができる。
【００２５】
請求項５及び請求項１０の発明によれば、突起は、円環状の電気抵抗溶接後に軸部材に形成するものであるので、円環状の電気抵抗溶接時において軸部材を固定シーブ又は可動シーブの開口部に圧入する際、当該固定シーブ又は可動シーブの開口縁部と突起とが干渉してしまうのを回避することができる。従って、軸部材を固定シーブ又は可動シーブの開口部に圧入する際、その圧入方向を任意設定することができる。
【発明を実施するための最良の形態】
【００２６】
以下、本発明の実施形態について図面を参照しながら具体的に説明する。
本実施形態に係る駆動力伝達用プーリは、スクータ型の自動二輪車における遠心クラッチ装置の従動プーリに適用されたものである。かかる遠心クラッチ装置は、スクータ型の自動二輪車におけるエンジン駆動力の伝達及びその遮断を行わせるもので、図１に示すように、従動プーリ１と、ドライブプレート４と、クラッチ部材７と、出力用ハウジング６と、シャフト７とから主に構成されている。
【００２７】
従動プーリ１は、二輪車のエンジンの駆動により回転する駆動プーリ（不図示）との間で樹脂製のＶベルト１０（無端状ベルト）を懸架可能とされたものである。かかる従動プーリ１は、金属成形品から成る固定シーブ２及び可動シーブ３から構成され、これら固定シーブ２及び可動シーブ３の離間部にはテーパ面（固定側テーパ面２ａ及び可動側テーパ面３ａ）が形成されている。これら対向するテーパ面にＶベルト１０が嵌入して駆動プーリとの間で当該Ｖベルト１０を懸架するようになっている。
【００２８】
固定シーブ２には、その略中央から円筒状の軸部材８が突出形成されており、当該軸部材８の内周面８ｂにニードルベアリングＢ１及びボールベアリングＢ２が配設されて、シャフト７を回転自在に挿通可能とされている。この固定シーブ２の外周には可動シーブ３がスプライン嵌合にて組み付けられており、Ｖベルト１０の回転と共に両シーブが回転し得るとともに、可動シーブ３が固定シーブ２に対して近接又は離間可能とされている。
【００２９】
具体的には、可動シーブ３は、スプリングＳＰにより固定シーブ２に対して近接する方向（即ち、固定側テーパ面と可動側テーパ面とが近接する方向）へ常時付勢されており、従動プーリ１におけるＶベルト１０の縮径動作が作用すると、スプリングＳＰの付勢力に抗して固定シーブ２から遠ざかる方向（同図中左方向）へ移動し得るよう構成されている。尚、可動シーブ３には、固定シーブ２と同様、その略中央から円筒状の軸部材９が突出形成されており、当該軸部材９の内周面９ｂに沿って固定シーブ２の軸部材８が摺動し得るようになっている。
【００３０】
しかして、エンジンの回転数が増加すると駆動プーリ側のＶベルト１０の嵌入部が狭まって、その径が広がるよう構成されているので、これに伴い従動プーリ１側のＶベルト１０が同図矢印方向へ移動しようとし、かかる作用を受けて可動シーブ３が左方向（Ｖベルト１０の嵌入部の径が縮小する方向）へ移動し、シフトアップするようになっている。このように、本実施形態の遠心クラッチ装置においては、車速に応じてシフトチェンジが自動的になされるよう構成されている。
【００３１】
ドライブプレート４は、従動プーリ１の固定シーブ２に連結されて当該従動プーリ１とともに回転可能なもので、その外周面には、径方向（同図上下方向）へ移動可能な摩擦材から成るクラッチ部材５と、錘１１とが配設されている。即ち、従動プーリ１の回転数が所定値以上となると、その遠心力にて拡径する方向へクラッチ部材５が移動し、出力用ハウジング６のフランジ部内周面に当接可能して当該出力用ハウジング６を連れ回しするようになっている。
【００３２】
出力用ハウジング６は、略中央に挿通孔６ａが形成されるとともに、ドライブプレート４の外周面を覆って配設された傘状のものであり、当該挿通孔６ａにはシャフト７の先端が挿通し得るよう構成されている。また、挿通孔６ａの内周面周縁からは、従動プーリ１側に延びる筒状部材６ｂが一体的（例えば溶接等により固着）に形成されており、かかる筒状部材６ｂの内周面に形成されたスプラインがシャフト７側に形成されたスプラインと噛み合うよう組み付けられている。
【００３３】
シャフト７は、締付ナットＮによりその先端が出力用ハウジング６と連結されており、当該出力用ハウジング６とともに回転し得るものである。かかるシャフト７の基端側には、図示しない減速機（減速歯車等により構成）が接続され、自動二輪車の後輪を駆動し得るようになっている。即ち、従動プーリ１が所定回転数に達すると、その遠心力にてクラッチ部材５が出力用ハウジング６と当接することとなり、当該従動プーリ１及びドライブプレート４の回転力が出力用ハウジング６を介してシャフト７に伝達され、自動二輪車の後輪を駆動させるのである。
【００３４】
ここで、本実施形態における固定シーブ２は、図２〜図４に示すように、その略中央に円形に開口した開口部Ａが形成されており、この開口部Ａに円筒状の軸部材８の一端が溶着されることにより、当該固定シーブ２から軸部材８を突出形成させている。しかして、固定シーブ２は、従動プーリ１（駆動力伝達用プーリ）に組み付けられた状態で、軸部材８を回転軸として回転可能とされる。
【００３５】
より具体的には、軸部材８を固定シーブ２の開口部Ａに圧入しつつその開口縁部との間で通電させることにより円環状の電気抵抗溶接し、軸部材８を固定シーブ２に溶着している。即ち、固定シーブ２の開口部Ａの内径寸法は、軸部材８の溶着部位８ａの外径寸法より若干小さく設定されており、後述する円環状の電気抵抗溶接装置にて、当該開口部Ａに溶着部位８ａを圧入させつつ通電させて溶着するのである。
【００３６】
これにより、従来の如き溶接トーチを用いたプラズマ溶接又はＴｉｇ溶接等に比べ、固定シーブ２と軸部材８との溶着を短時間で且つ良好に行わせ、製造時のサイクルタイムの短縮及び組み付け精度の向上を図ることができる。即ち、本実施形態の如く円環状の電気抵抗溶接によれば、プラズマ溶接に比べて溶着作業が短時間で済み、入熱量を少なくして歪みを抑制しつつ固定シーブ２と軸部材８との溶接を行うことができるのである。
【００３７】
特に、軸部材８の溶着部位８ａに対して固定シーブ２を溶接しているため、固定シーブ２と軸部材８との溶着時に当該軸部材８が内側に撓んで内周面の寸法が小さくなってしまうのを回避でき、ベアリングＢ１（図１参照）の配設作業を良好に維持することができる。また、従来の如く溶着前にバーリング部を形成する必要がないため、溶着作業をより良好に行わせることができ、従動プーリ１（駆動力伝達用プーリ）の製造工程を簡素化することができる。
【００３８】
更に、軸部材８の固定シーブ２との溶着部位８ａ近傍であってＶベルト１０（無端状ベルト）からの負荷により当該固定シーブ２が移動する側（図２における右側）には、径方向外向き（同図における上下向き）の突起ａが設けられている。この突起ａは、固定シーブ２との間に所定寸法ｔのクリアランスを介して形成（言い換えるならば、突起ａと固定シーブ２との間には所定寸法ｔのクリアランスが形成）されている。
【００３９】
一方、本実施形態における可動シーブ３は、図５、６に示すように、その略中央に円形に開口した開口部Ｂが形成されており、この開口部Ｂに円筒状の軸部材９の一端が溶着されることにより、当該可動シーブ３から軸部材９を突出形成させている。しかして、可動シーブ３は、従動プーリ１（駆動力伝達用プーリ）に組み付けられた状態で、軸部材９を回転軸として回転可能とされる。
【００４０】
より具体的には、軸部材９を可動シーブ３の開口部Ｂに圧入しつつその開口縁部との間で通電させることにより円環状の電気抵抗溶接し、軸部材９を可動シーブ３に溶着している。即ち、可動シーブ３の開口部Ｂの内径寸法は、軸部材９の溶着部位９ａの外径寸法より若干小さく設定されており、後述する円環状の電気抵抗溶接装置にて、当該開口部Ｂに溶着部位９ａを圧入させつつ通電させて溶着するのである。
【００４１】
これにより、従来の如き溶接トーチを用いたプラズマ溶接又はＴｉｇ溶接等に比べ、可動シーブ３と軸部材９との溶着を短時間で且つ良好に行わせ、製造時のサイクルタイムの短縮及び組み付け精度の向上を図ることができる。即ち、本実施形態の如く円環状の電気抵抗溶接によれば、プラズマ溶接に比べて溶着作業が短時間で済み、入熱量を少なくして歪みを抑制しつつ可動シーブ３と軸部材９との溶接を行うことができるのである。
【００４２】
特に、軸部材９の溶着部位９ａに対して可動シーブ３を溶接しているため、可動シーブ３と軸部材９との溶着時に当該軸部材９が内側に撓んで内周面の寸法が小さくなってしまうのを回避でき、軸部材８への挿通作業を良好に維持することができる。また、従来の如く溶着前にバーリング部を形成する必要がないため、溶着作業をより良好に行わせることができ、従動プーリ１（駆動力伝達用プーリ）の製造工程を簡素化することができる。
【００４３】
更に、軸部材９の可動シーブ３との溶着部位９ａ近傍であってＶベルト１０（無端状ベルト）からの負荷により当該可動シーブ３が移動する側（図５における左側）には、径方向外向き（同図における上下向き）の突起ｂが設けられている。この突起ｂは、可動シーブ３との間に所定寸法ｔのクリアランスを介して形成（言い換えるならば、突起ｂと可動シーブ３との間には所定寸法ｔのクリアランスが形成）されている。
【００４４】
而して、突起ａ、ｂは、円環状の電気抵抗溶接前に予め軸部材８又は９に形成して成るものであり、図３、６に示すように、当該突起ａ、ｂが形成されていない側から固定シーブ２又は可動シーブ３を軸部材８又は９に圧入するものとされている。従って、固定シーブ２又は可動シーブ３の開口縁部と突起ａ又はｂとが干渉することがない。また、突起ａ、ｂは、円環状の電気抵抗溶接前に予め軸部材８又は９に形成して成るので、成形により或いは旋盤加工等により設けることができ、その形成位置若しくは形状（高さ寸法等）において精度よく形成することができる。
【００４５】
次に、本実施形態に係る固定シーブ２の軸部材８との溶着方法について説明する。
固定シーブ２と軸部材８との溶着作業は、図７に示すような円環状の電気抵抗溶接装置を用いて行う。かかる円環状の電気抵抗溶接装置は、突端（図中下端）がリング状に形成された導電体から成る上側電極部材１２と、該押圧体１２と連結された導電体から成る可動型１３と、固定シーブ２の固定側テーパ面２ａに沿って当接し得る上側パッド部材１６と、軸部材８を載置させ得ると共に導電体から成る下側電極部材１４と、該下側電極部材１４と連結された導電体から成る固定型１５と、固定シーブ２の固定側テーパ面２ａとは反対の面に沿って当接し得る下側パッド部材１７とから主に構成されている。
【００４６】
上側電極部材１２、可動型１３、下側電極部材１４及び固定型１５は、例えばクロム銅などの良導体から成るとともに、上側パッド部材１６及び下側パッド部材１７は、非磁性絶縁体から成るものである。そして、図７の左側で示すように、下側パッド１７上に固定シーブ２を載置させつつ上側パッド１６を固定側テーパ面２ａに当接して保持させれば、円環状の電気抵抗溶接装置内に固定シーブ２を固定することができる。
【００４７】
一方、同図左側に示すように、下側電極部材１４上には、溶着部位を下方に向けて倒立させた軸部材８を載置させるとともに、上側電極部材１２の突端を固定シーブ２における開口部Ａの上側開口縁部に当接させておく。この状態から、可動型１３を固定型１５に対して近接させる方向に動作させ、上側電極部材１２を伴って下降させると同時に、当該可動型１３と固定型１５（上側電極部材１２と下側電極部材１４）との間で電圧を印加する。
【００４８】
しかして、軸部材８の溶着部位８ａが開口部Ａに圧入されつつその開口縁部との間で通電して溶着することとなり、円環状の電気抵抗溶接が行われることとなる。ここで、突起ａと固定シーブ２との間には、所定寸法ｔのクリアランスが形成されている。これにより、同図右側で示すように、略中央にて軸部材８を突出状態で溶着して成る固定シーブ２を得ることができるので、可動型１３を上側電極部材１２と共に上昇させ、上側パッド１６も上昇させれば、軸部材８が溶着された固定シーブ２を取り出すことができる。
【００４９】
尚、可動シーブ３及びその軸部材９についても、図８に示すように、上記円環状の電気抵抗溶接装置にて溶着することができる。即ち、可動型１３を固定型１５に対して近接させる方向に動作させ、上側電極部材１２を伴って下降させると同時に、可動型１３と固定型１５（上側電極部材１２と下側電極部材１４）との間で電圧を印加することにより、軸部材９の溶着部位９ａが開口部Ｂに圧入されつつその開口縁部との間で通電して溶着することとなり、円環状の電気抵抗溶接が行われるのである。ここで、突起ｂと可動シーブ３との間には、所定寸法ｔのクリアランスが形成されている。
【００５０】
また、本実施形態においては、上側電極部材１２を下降させることにより、固定された軸部材８に対して固定シーブ２を動作させて円環状の電気抵抗溶接しているが、固定された固定シーブ２に対して軸部材８を動作させ、円環状の電気抵抗溶接するようにしてもよい。
【００５１】
上記のように、突起ａ、ｂは、固定シーブ２又は可動シーブ３との間に所定寸法ｔのクリアランスを介して形成されるので、軸部材８、９を固定シーブ２又は可動シーブ３の開口部Ａ、Ｂに圧入しつつその開口縁部との間で通電させることにより円環状の電気抵抗溶接を行う過程で生じるバリ（余肉）が当該突起ａ、ｂと干渉してしまうのを回避することができる。
【００５２】
また、上記の如き突起ｂに代えて、図９に示すように、突起ｂ’の基端ｂ’ａ側と可動シーブ３との間にクリアランス（寸法ｔで示す隙間）が形成されるとともに、当該突起ｂ’の先端ｂ’ｂ側が可動シーブ３の開口縁部と当接して成るものとしてもよい。勿論、突起ａに代えて、上述の如く、突起の基端側と固定シーブ２との間にクリアランスが形成されるとともに、当該突起の先端側が固定シーブ２の開口縁部と当接して成るものとしてもよい。
【００５３】
これによれば、軸部材８、９を固定シーブ２又は可動シーブ３の開口部Ａ、Ｂに圧入しつつその開口縁部との間で通電させることにより円環状の電気抵抗溶接を行う際、固定シーブ２又は可動シーブ３が突起の先端と当接して位置決めを行わせることができ、且つ、突起の基端側のクリアランスにより、軸部材８、９を固定シーブ２又は可動シーブ３の開口部Ａ、Ｂに圧入しつつその開口縁部との間で通電させることにより円環状の電気抵抗溶接を行う過程で生じるバリ（余肉）が当該突起と干渉してしまうのを回避することができる。
【００５４】
上記実施形態によれば、軸部材８、９を固定シーブ又は可動シーブの開口部に圧入しつつその開口縁部との間で通電させることにより円環状の電気抵抗溶接し、当該軸部材を固定シーブ又は可動シーブに溶着するので、固定シーブ又は可動シーブと軸部材との溶着を短時間で且つ良好に行わせ、製造時のサイクルタイムの短縮及び組み付け精度の向上を図ることができる。
【００５５】
加えて、軸部材８、９の固定シーブ２又は可動シーブ３との溶着部位８ａ、９ａ近傍であってＶベルト１０（無端状ベルト）からの負荷により当該固定シーブ２又は可動シーブ３が移動する側（具体的には、溶着部位８ａと近接した位置であって可動シーブ３を臨まない側、或いは溶着部位９ａと近接した位置であって固定シーブ２を臨まない側）に径方向外向きの突起ａ、ｂが設けられたので、軸部材８、９が固定シーブ２又は可動シーブ３から離脱する際の予兆をユーザに把握させることができる。
【００５６】
以上、本実施形態について説明したが、本発明はこれに限定されず、例えば、上記の如き円環状の電気抵抗溶接後に突起を軸部材８、９に形成するものとしてもよい。即ち、図１０に示すように、軸部材８を固定シーブ２の開口部Ａに圧入しつつ（同図（ａ）参照）その開口縁部との間で通電させることにより円環状の電気抵抗溶接し、当該軸部材８を固定シーブ２に溶着（同図（ｂ）参照）した後、パンチＤ（リングであってもよい）により軸部材８を押圧して変形させ、突起ｃを形成する（同図（ｃ）参照）ものであってもよい。即ち、円環状の電気抵抗溶接後、軸部材８の端部を塑性変形させて突起ｃを立ち上げ形成することにより固定シーブ２をカシメるものである。尚、同図（ｄ）の如く、円環状の電気抵抗溶接及び突起ｃの形成後、所定形状及び寸法に切削加工するのが好ましい。
【００５７】
こうして円環状の電気抵抗溶接後に形成された突起ｃは、上記実施形態と同様、軸部材８の固定シーブ２との溶着部位８ａ近傍であってＶベルト１０（無端状ベルト）からの負荷により当該固定シーブ２が移動する側に径方向外向きに形成されたものとなる。尚、かかる突起ｃは、軸部材９の可動シーブ３との溶着部位８ａ近傍であってＶベルト１０（無端状ベルト）からの負荷により当該可動シーブ３が移動する側に径方向外向きに形成されたものであってもよい。
【００５８】
かかる突起ｃは、円環状の電気抵抗溶接後に軸部材に形成するものであるので、円環状の電気抵抗溶接時において軸部材８、９を固定シーブ２又は可動シーブ３の開口部に圧入する際、当該固定シーブ２又は可動シーブ３の開口縁部と突起とが干渉してしまうのを回避することができる。従って、軸部材８、９を固定シーブ２又は可動シーブ３の開口部に圧入する際、その圧入方向を任意設定することができる。
【００５９】
また、上記実施形態においては、図４に示すように、突起ａ、ｂが略円環状に形成されているが、部分的に形成したものであってもよい。尚、例えば無端状ベルトを懸架し得る駆動力伝達用プーリであれば、他の形態のプーリ（本実施形態の如きスクータ型自動二輪車の駆動プーリと対応して配設されるものとは異なる形態）に適用してもよい。
【産業上の利用可能性】
【００６０】
軸部材を開口部に圧入しつつその開口縁部との間で通電させることにより円環状の電気抵抗溶接し、軸部材を固定シーブ又は可動シーブに溶着して成るとともに、軸部材の固定シーブ又は可動シーブとの溶着部位近傍であって無端状ベルトからの負荷により当該固定シーブ又は可動シーブが移動する側に径方向外向きの突起が設けられた駆動力伝達用プーリその製造方法であれば、外観形状が異なるもの或いは他の機能が付加されたものにも適用することができる。
【図面の簡単な説明】
【００６１】
【図１】本発明の実施形態に係る駆動力伝達用プーリが適用される遠心クラッチ装置を示す断面模式図
【図２】同駆動力伝達用プーリにおける固定シーブ及びその軸部材を示す縦断面図及び拡大図
【図３】同動力伝達用プーリにおける固定シーブ及びその軸部材を示す分解断面図
【図４】同動力伝達用プーリにおける固定シーブを示す正面図
【図５】同駆動力伝達用プーリにおける可動シーブ及びその軸部材を示す縦断面図及び拡大図
【図６】同動力伝達用プーリにおける可動シーブ及びその軸部材を示す分解断面図
【図７】同動力伝達用プーリの軸部材を固定シーブに溶接するための円環状の電気抵抗溶接装置を示す模式図であって、左側が溶接前の状態、右側が溶接後の状態を示す図
【図８】同駆動力伝達用プーリにおける可動シーブとその軸部材との溶接状態を示す拡大図
【図９】同駆動力伝達用プーリにおける他の形態の可動シーブとその軸部材との溶接状態を示す拡大図
【図１０】本発明の他の実施形態における突起の形成過程を示す拡大模式図
【図１１】従来の駆動力伝達用プーリが適用される遠心クラッチ装置を示す断面模式図
【符号の説明】
【００６２】
１    従動プーリ（駆動力伝達用プーリ）
２    固定シーブ
３    可動シーブ
４    ドライブプレート
５    クラッチ部材
６    出力用ハウジング
７    シャフト
８    軸部材
８ａ  溶着部位
９    軸部材
９ａ  溶着部位
１０  無端状ベルト
１１  錘
１２  上側電極部材
１３  可動型
１４  下側電極部材
１５  固定型
１６  上側パッド部材
１７  下側パッド部材
Ａ、Ｂ  開口部
ａ、ｂ、ｂ’、ｃ  突起
【図１】
2009191977.tif 000003
【図２】
2009191977.tif 000004
【図３】
2009191977.tif 000005
【図４】
2009191977.tif 000006
【図５】
2009191977.tif 000007
【図６】
2009191977.tif 000008
【図７】
2009191977.tif 000009
【図８】
2009191977.tif 000010
【図９】
2009191977.tif 000011
【図１０】
2009191977.tif 000012
【図１１】
2009191977.tif 000013